(57)【要約】【課題】  掃除機によるゴミや埃等の吸引時に際し、該掃除機の吸引ノズル本体部位における吸引動作に弊害を与えることなく、掃除機の吸い取りと同時に拭き取り或いは磨き清掃ができるモップを提供する。【解決手段】  掃除機の吸引ノズル本体４に対して取り外し可能に取り付けられるモップであって、該モップ本体１は、所望の厚みを有する矩形状に形成されるとともに、前記吸引ノズル本体４下面に対し、該吸引ノズル本体４に形成された吸引口６から後方に延在するように、その一縁部が前記吸引口６の後方縁部に沿って貼着手段２Ａを介して装着可能としたものである。【選択図】図４
0003128923.tif 000002
【実用新案登録請求の範囲】
【請求項１】
掃除機の吸引ノズル本体に対して取り外し可能に取り付けられるモップであって、該モップ本体は、所望の厚みを有する矩形状に形成されるとともに、前記吸引ノズル本体下面に対し、該吸引ノズル本体に形成された吸引口から後方に延在するように、その一縁部が前記吸引口の後方縁部に沿って貼着手段を介して装着可能とされることを特徴とするモップ。
【請求項２】
請求項１記載のモップであって、該モップ本体は、吸引ノズル本体下面に対する装着方向を、該吸引口を閉塞して前方に延在する方向に変位可能となしたことを特徴とするモップ。
【請求項３】
請求項１または２記載のモップであって、前記貼着手段は、面ファスナーから構成するとともに、一方の雌側の面テープ部が前記吸引ノズル本体に装着され、他方の雄側の面テープ部がモップ本体に装着されていることを特徴とするモップ。
【考案の詳細な説明】
【技術分野】
【０００１】  本考案は、掃除機の吸引ノズル本体に対し、取り外し可能に装着することができるモップに関する。
【背景技術】
【０００２】  一般に、例えば、家の各部屋、とくに、床が板張りの部屋や廊下等を掃除する場合においては、掃除機による吸い取り作業と、モップ等による拭き取り或いは磨き作業等とが別々に行われており、その掃除作業には時間と労力を要するとともに非合理的であった。
そして、このかかる状態を改善するために掃除機による吸い取り作業と、モップ等による拭き取り或いは磨き作業等とを一度に行う手段が多々案出されており、例えば、掃除機の吸込みノズルの裏面に対し、該吸込みノズルに形成した吸引口を除く全体にわたって所望の長さに起立させたモップを取り外しできるように接着させた構造のモップ付吸込口が提案されている（特許文献１参照）。
【特許文献１】実開平２−５５８６１号公報
【考案の開示】
【考案が解決しようとする課題】
【０００３】  しかし、上述した従来のモップ付吸込口にあっては、掃除機の吸込みノズルにおいて、モップが吸引口の周囲の全面にわたって取り付けられているため、掃除機による本来の掃除中にモップがゴミや埃等と共に吸引され巻き込まれてモップ自体が使用不能となるばかりか、ときとして、掃除機による吸込みが不可能となって、その清掃ができなくなり、掃除機自体を損傷してしまう事故を惹起するという問題点を残すものであった。
そこで、本考案が解決しようとする課題は、掃除機によるゴミや埃等の吸引時に際し、該掃除機の吸引ノズル本体部位における吸引動作に弊害を与えることなく、掃除機の吸い取りと同時に拭き取り或いは磨き清掃ができるモップを提供することである。
【課題を解決するための手段】
【０００４】  上記課題を解決するため、請求項１記載の考案は、掃除機の吸引ノズル本体に対して取り外し可能に取り付けられるモップであって、該モップ本体は、所望の厚みを有する矩形状に形成されるとともに、前記吸引ノズル本体下面に対し、該吸引ノズル本体に形成された吸引口から後方に延在するように、その一縁部が前記吸引口の後方縁部に沿って貼着手段を介して装着可能とされることを特徴とする。
上記した構成によれば、掃除機の吸引ノズル本体に対してモップをその吸引口から後方に延在させて装着することができ、該掃除機の吸引ノズル本体の移動（進行）によりゴミや埃等を吸い取った後から同部位の拭き取り或いは磨き清掃作業を同時に続けて行うことができるものである。【０００５】  請求項２記載の考案は、請求項１記載のモップであって、該モップ本体は、吸引ノズル本体下面に対する装着方向を、該吸引口を閉塞して前方に延在する方向に変位可能となしたことを特徴とする。
上記した構成によれば、請求項１記載の上述の動作に加え、吸引ノズル本体に対するモップを、吸引口を閉塞して前方に延在する方向に変位して装着することができるので、掃除機の吸引パイプ及び吸引ノズル本体を利用してそのままモップによる拭き取り或いは磨き清掃作業を行うことができるものである。【０００６】  請求項３記載の考案は、請求項１または２記載のモップであって、前記貼着手段は、面ファスナーから構成するとともに、一方の雌側の面テープ部が前記吸引ノズル本体に装着され、他方の雄側の面テープ部がモップ本体に装着されていることを特徴とする。
上記した構成によれば、吸引ノズル本体側の面テープ部を雌側の面テープ部とすることによって、該面テープ部による吸引ノズル本体の移動（進行）が阻害されることなく、通常の掃除機としての吸引清掃動作を確保することができる。とくに、起毛状態の絨毯やカーペット等の清掃にあっては、該面テープ部が絨毯やカーペット等に絡むことなく、吸引ノズル本体を円滑に移動（進行）することができるものである。
【考案の効果】
【０００７】  請求項１の考案によれば、掃除機の吸引ノズル本体の移動（進行）によりゴミや埃等を吸い取った後から同部位の拭き取り或いは磨き清掃作業を同時に続けて行うことができる。
このことは、掃除機によるゴミや埃等の吸引時に際し、該掃除機の吸引ノズル本体部位における吸引動作に弊害を与えることなく、掃除機の吸い取りと同時に拭き取り或いは磨き清掃ができる。【０００８】  請求項２記載の考案によれば、請求項１記載の効果に加え、掃除機の吸引パイプ及び吸引ノズル本体を利用してそのままモップによる拭き取り或いは磨き清掃作業を行うことができる。【０００９】  請求項３記載の考案によれば、該面テープ部による吸引ノズル本体の移動（進行）が阻害されることなく、通常の掃除機としての吸引清掃動作を確保し得、とくに、起毛状態の絨毯やカーペット等の清掃にあっては、該面テープ部が絨毯やカーペット等に絡むことなく、吸引ノズル本体を円滑に移動（進行）することができる。
【考案を実施するための最良の形態】
【００１０】  次に、本考案を実施するための最良の形態について、実施例にしたがって説明する。
【実施例】
【００１１】  以下に、本考案における実施の形態を図面に基づいて説明する。
モップの主体部となるモップ本体１は、図１〜図３に示すように、スポンジ等の芯材（図示しない）をポリエステル及びナイロン等の合成繊維素材からなる表布１ａによりサンドイッチ状に包んで所望の厚さの平面矩形状（平面ほぼ長方形）に形成されている。
なお、モップ本体１は、撥水性を有するとともに、塵、埃等が付着し易い形態や種々の素材を採用すること、また、艶出し剤、人体に無害な防虫剤、芳香剤等を含浸することが可能である。【００１２】  上記モップ本体１は、図２〜図４に示すように、その長手方向の一方側縁部には貼着手段２Ａを構成する雄側の面テープ部２ａと雌側の面テープ部２ｂとからなる一対の面テープ２がその縁部に沿って所望の間隔をおいて複数個（図では４個の場合を示す）装着されている。ただし、この面テープ２はその雄側の面テープ部２ａをモップ本体１の表布１ａに位置させて縫製等の手段により装着され、雌側の面テープ部２ｂを後述する吸引ノズル本体４側に位置させて接着剤により装着されものである。【００１３】  そして、上記モップ本体１は、既存の掃除機（図示しない）の吸引パイプ３の先端に設けられている吸引ノズル本体４の裏面に対して前記貼着手段２Ａを介して取り外し可能に装着されるものである。
すなわち、図２及び図３に示すように、前記吸引ノズル本体４の裏面には既存の掃除機の回転ブラシ５が露出する矩形状の吸引口６が貫設されていて、この吸引口６の後方縁部に沿って前記貼着手段２Ａである面テープ２の雌側の面テープ部２ｂが前記雄側の面テープ部２ａの装着間隔に対応する位置で接着剤により装着されている。【００１４】  しかして、モップ本体１は、前記吸引ノズル本体４下面に対し、該吸引ノズル本体４の吸引口６から後方に延在するように位置されて、その雄側の面テープ部２ａを吸引ノズル本体４側の雌側の面テープ部２ｂに取り外し可能に結合して装着されるものである。【００１５】  したがって、該モップ本体１にあって、その平面矩形状（平面ほぼ長方形）の大きさは、掃除機の吸引ノズル本体４から後方に延在し得る寸法に形成することが望ましく、とくに、吸引ノズル本体４から吸引パイプ３を起立状に自立状態で収納し得るように、該吸引ノズル本体４から後方に延出部７、７が形成されその延出部７、７の下面に案内ローラ８、８を設けた形態に対し、その案内ローラ８，８により押圧し得る寸法に形成することが好ましい。【００１６】  上述のように構成されたモップを掃除機の吸引ノズル本体４に装着して掃除に供する場合について説明する。
さて、本実施例のモップ本体３にあっては、図１、２及び図４に示すように、モップ本体１を吸引ノズル本体４下面に対し、該吸引ノズル本体４の吸引口６から後方に延在するように位置して、その貼着手段２Ａである面テープ２の雄側の面テープ部２ａを吸引ノズル本体４側の吸引口６の後方縁部に沿って装着されている雌側の面テープ部２ｂに結合して装着する。【００１７】  この場合、モップ本体１の装着に際し、該モップ本体１側の雄側の面テープ部２ａに対し、雌側の面テープ部２を予め結合しておき、その雌側の面テープ部２の接着剤が塗布された接着面を吸引ノズル本体４側の吸引口６の後方後方縁部に沿って接着することにより、モップ本体１の装着動作とともに、雌側の面テープ部２を吸引ノズル本体４側に装着することができ、該吸引ノズル本体４に対する雌側の面テープ部２の装着作業を簡易にすることができ、その後のモップ本体１の取り外し及び装着に簡易に対応することができる。【００１８】  上述のようにして、吸引ノズル本体４下面に対してモップ本体１を吸引口６から後方に延在させた状態において、掃除機の吸引動作を開始するとともに、その吸引ノズル本体４を前方の移動（進行）して該吸引ノズル本体４からの通常のゴミや埃等を吸い取る清掃作業をなし、その後からモップ本体１により同部位の拭き取り或いは磨き清掃作業を吸引ノズル本体４の一連の移動（進行）とともに同時に続けて行うことができるものである。【００１９】  この場合、モップ本体１が吸引口６から後方に延在された状態であり、通常の吸引ノズル本体４を前方への移動（進行）方向に逆らうことなく、円滑に追従して当該拭き取り或いは磨き清掃作業を遂行することができ、さらには、モップ本体１が吸引口６に吸い込まれてその回転ブラシ５に巻き込まれるという不具合を未然に防止することができるものである。
とくに、図１及び図４に示すように、吸引ノズル本体４に対し吸引パイプ３を起立状に自立状態で収納し得るように該吸引ノズル本体４から後方に延出部７、７が形成されてその延出部７、７の下面に案内ローラ８、８を設けた形態の吸引ノズル本体４に使用する場合には、その案内ローラ８、８によりモップ本体１が清掃部位側に押し付けられるので、該モップ本体１の安定した装着状態を確保することができるものである。【００２０】  そして、モップ本体１を掃除機の吸引ノズル本体４から取り外す場合には、該モップ本体１と吸引ノズル本体４との間の貼着手段２Ａである面テープ２における雄側の面テープ部２ａと雌側の面テープ部２ｂとの結合状態を、該モップ本体１を吸引ノズル本体４に対して引き剥がすようにして解離することにより簡易に行い得るものである。【００２１】  この場合、吸引ノズル本体４の下面側には、面テープ２における雌側の面テープ部２ｂが残ることになるが、該残る側を雌側の面テープ部２ｂとしたことにより、該雌側の面テープ部２ｂにおける機能上の特質によって、この雌側の面テープ部２ｂによる吸引ノズル本体４の移動（進行）を阻害することがなく、通常の掃除機としての吸引清掃動作を確保することができる。とくに、起毛状態の絨毯やカーペット等の清掃にあっては、該雌側の面テープ部２ｂが絨毯やカーペット等に絡むことなく、吸引ノズル本体４を円滑に移動（進行）することができるものである。【００２２】  そして、図５に示すように、モップ本体１を、吸引ノズル本体４に対し、吸引口６を閉塞して前方に延在する方向に変位して前述と同様に貼着手段２Ａである面テープ２を介して装着することができるので、掃除機の吸引パイプ３を取手としかつ吸引ノズル本体４を基部として利用し、そのまま通常のモップによる拭き取り或いは磨き清掃作業を行うことができるものである。【００２３】  また、モップ本体１にあって、撥水性を有するととともに、塵、埃等が付着し易い形態や種々の素材を採用すること、また、艶出し剤、人体に無害な防虫剤、芳香剤等を含浸する等の機能を採用することが可能であるので、それぞれの機能を何らの弊害を及ぼすことなく十分に発揮することができる。【００２４】  なお、上記した実施例においては、モップ本体１を平面ほぼ長方形の矩形状として説明したが、この図示の形状には限定するものではなく、この形状に類する種々の変形形状のものが採用できる。【００２５】  また、モップ本体１と吸引ノズル本体４との対する貼着手段２Ａである面テープ２の装着状態にあっても、図示の態様に限定するものではなく、連続状に装着する等種々の変形例を採用し得、さらに、モップ本体１に対する縫製による装着、吸引ノズル本体４に対する接着剤による装着の他、種々の装着手段を採用し得、とくに、吸引ノズル本体４の吸引口６の後方に適切な段差部を形成し、この段差部に雌側の面テープ部２ｂに埋め込んで装着することも可能である。
【図面の簡単な説明】
【００２６】
【図１】  モップを吸引ノズル本体に取り付けた状態を示す斜視図である。
【図２】  モップを吸引ノズル本体に取り付けた状態を示す平面図である。
【図３】  モップを吸引ノズル本体から取り外した状態の平面図である。
【図４】  モップを吸引ノズル本体に取り付けた状態を示す側面図である。
【図５】  モップを吸引ノズル本体に取り付けた状態の別態様を示す側面図である。
【符号の説明】
【００２７】  １  モップ本体
２Ａ  貼着手段
２  面テープ
４  吸引ノズル本体
６  吸引口
【図１】
0003128923.tif 000003
【図２】
0003128923.tif 000004
【図３】
0003128923.tif 000005
【図４】
0003128923.tif 000006
【図５】
0003128923.tif 000007